(57)【要約】【課題】視度補正機構およびアイピースシャッタを備えたカメラのファインダ装置を小型でコンパクトに構成すること。【解決手段】カメラのファインダ装置１０では、視度補正つまみ３を回すと、これに連動して回転する視度補正連動板２３が退避動作レバー３４を回転し、可動レンズ１２が移動して視度が補正される。シャッタ操作レバー４を操作すると、操作連動回転板１４が第１の回転位置１４Ａから第３の回転位置１４Ｃに回転し、その途中の第２の回転位置１４Ｂに至るまで退避動作ギャ３３を介して退避動作レバー３４が回転し、可動レンズ１２が退避位置に移動し、退避動作ギヤ３３が退避動作レバー３４から切り離され、操作連動回転板１４が第３の回転位置に至るまでアイピースシャッタ１３の支持アーム４１を押し上げ、アイピースシャッタ１３を閉じ位置に降下させファインダ光路を遮蔽状態にする。【選択図】図１
2006215373.tif 000002
【特許請求の範囲】
【請求項１】
ファインダの視度補正を行うために手動操作される視度補正用操作部材と、ファインダ光路上において光軸方向に移動可能な可動レンズと、前記視度補正用操作部材の操作に連動して前記可動レンズを移動させる視度補正機構とを有するカメラのファイダ装置において、
前記ファインダ光路を遮蔽するためのアイピースシャッタと、
前記アイピースシャッタを開閉するために手動操作されるシャッタ開閉用操作部材と、
前記シャッタ開閉用操作部材を操作すると、第１の回転角度位置から第２の回転角度位置を経由して第３の回転角度位置まで回転し、当該シャッタ開閉用操作部材を戻すと前記第１の回転角度位置に戻る操作連動回転板と、
前記操作連動回転板の前記第１の回転位置から前記第２の回転位置までの回転に連動して、前記可動レンズを、前記視度補正機構によって規定されている位置から退避位置まで移動させる可動レンズ退避機構と、
前記回転板の前記第２の回転角度位置から前記第３の回転角度位置までの回転に連動して、前記アイピースシャッタを開き位置から、前記ファインダ光路を遮蔽した閉じ位置に移動させるシャッタ開閉機構とを有していることを特徴とするカメラのファインダ装置。
【請求項２】
請求項１において、
前記シャッタ開閉機構は、
前記アイピースシャッタを支持している支持アームと、
前記支持アームを、前記アーピースシャッタが前記開き位置にある第１のアーム位置、および前記閉じ位置にある第２のアーム位置に移動可能な状態で支持している支軸と、
前記支持アームを前記第１のアーム位置に保持している付勢部材とを有し、
前記支持アームは、前記第２の回転角度位置から前記第３の回転角度位置まで回転する前記操作連動回転板に係合して、前記第１のアーム位置から前記第２のアーム位置に移動させられるようになっていることを特徴とするカメラのファインダ装置。
【請求項３】
請求項１または２において、
前記可動レンズ退避機構は、
前記操作連動回転部材に連動して回転する退避動作ギヤと、
前記退避動作ギヤに噛み合っている連動ギヤと、
前記連動ギヤと一体回転する退避動作レバーとを備え、
前記操作連動回転板の前記第１の回転位置から前記第２の回転位置までの回転によって生ずる前記退避動作レバーの回転によって前記可動レンズが前記退避位置まで移動し、
前記操作連動回転板が前記第２の回転位置を越えると、前記退避動作ギヤと前記連動ギヤの噛み合いが解除されることを特徴とするカメラのファインダ装置。
【請求項４】
請求項３において、
前記視度補正機構は、
前記視度補正用操作部材に連動して一定の角度範囲を回転する視度補正連動板を備えており、
前記退避動作レバーは、前記視度補正連動板に対して、前記可動レンズを前記退避位置に移動させるための回転方向には単独回転可能な状態で係合していることを特徴とするカメラのファインダ装置。
【発明の詳細な説明】
【技術分野】
【０００１】
本発明は、視度調節機構およびファインダ接眼窓からの外光侵入を防止するためのアイピースシャッタを備えたカメラのファインダ装置に関し、特に、アイピースシャッタを閉じる際に、ファインダの可動レンズを退避させてアイピースシャッタをファインダ光路に進入させる動作を行うカメラのファインダ装置に関するものである。
【背景技術】
【０００２】
一眼レフカメラのファインダ装置においては、ファインダ光学系を構成しているレンズを光軸方向に移動させて視度を補正することのできる視度補正機構が備わったものが知られている。また、ＴＴＬ測光方式を用いた一眼レフカメラなどのファインダ装置では、外部からファインダ接眼窓を介して侵入する外光が露出測定値に悪影響を及ぼすことの無いように、外光侵入のおそれがある場合などにおいて、必要に応じてファイダ接眼窓を遮蔽するアイピースシャッタが備わったものが採用されている。
【０００３】
アイピースシャッタは通常はファインダ光学系の光路から退避しており、遮蔽時に当該光路内に進入させるように構成されている。したがって、視度補正機構およびアイピースシャッタを備えている場合、ファインダ光学系は、視度補正のために移動する可動レンズの可動スペースと、アイピースシャッタを進入させるためのスペースが必要になる。これらのスペースを共用化してファインダ装置の小型化、コンパクト化を図った提案が、下記の特許文献１、２に開示されている。
【０００４】
これらの特許文献に開示のファインダ装置では、可動レンズをファインダ光軸に沿って所定方向に退避させ、それによって開いたスペースに、アイピースシャッタを進入させて、ファインダ接眼窓を遮蔽するように構成されている。また、特許文献２の装置では、可動レンズが退避するまでアイピースシャッタを係止する手段と、アイピースシャッタがファインダ光路から退避するまで可動レンズを係止する手段とを備え、これらを移動させる際に、双方の駆動機構が干渉しないように改良が図られている。
【特許文献１】実公昭５８−１６７号公報
【特許文献２】特開２００１−１６６３５８号公報
【発明の開示】
【発明が解決しようとする課題】
【０００５】
本発明の課題は、可動レンズが退避した後にアイピースシャッタを遮蔽位置に移動させる一連の動作を、従来に比べて、より小型でコンパクトな機構によって実現可能なカメラのファインダ装置を提案することにある。
【課題を解決するための手段】
【０００６】
上記の課題を解決するために、本発明のカメラのファインダ装置は、ファインダの視度補正を行うために手動操作される視度補正用操作部材と、ファインダ光路上において光軸方向に移動可能な可動レンズと、前記視度補正用操作部材の操作に連動して前記可動レンズを移動させる視度補正機構とを有するカメラのファイダ装置において、
前記ファインダ光路を遮蔽するためのアイピースシャッタと、
前記アイピースシャッタを開閉するために手動操作されるシャッタ開閉用操作部材と、
前記シャッタ開閉用操作部材を操作すると、第１の回転角度位置から第２の回転角度位置を経由して第３の回転角度位置まで回転し、当該シャッタ開閉用操作部材を戻すと前記第１の回転角度位置に戻る操作連動回転板と、
前記操作連動回転板の前記第１の回転位置から前記第２の回転位置までの回転に連動して、前記可動レンズを、前記視度補正機構によって規定されている位置から退避位置まで移動させる可動レンズ退避機構と、
前記回転板の前記第２の回転角度位置から前記第３の回転角度位置までの回転に連動して、前記アイピースシャッタを開き位置から、前記ファインダ光路を遮蔽した閉じ位置に移動させるシャッタ開閉機構とを有していることを特徴としている。
【０００７】
ここで、本発明の前記シャッタ開閉機構は、前記アイピースシャッタを支持している支持アームと、前記支持アームを、前記アイピースシャッタが前記開き位置にある第１のアーム位置、および前記閉じ位置にある第２のアーム位置に移動可能な状態で支持している支軸と、前記支持アームを前記第１のアーム位置に保持している付勢部材とを有し、前記支持アームは、前記第２の回転角度位置から前記第３の回転角度位置まで回転する前記操作連動回転板に係合して、前記第１のアーム位置から前記第２のアーム位置に移動させられるようになっていることを特徴としている。
【０００８】
また、本発明の前記可動レンズ退避機構は、前記操作連動回転部材に連動して回転する退避動作ギヤと、前記退避動作ギヤに噛み合っている連動ギヤと、前記連動ギヤと一体回転する退避動作レバーとを備え、前記操作連動回転板の前記第１の回転位置から前記第２の回転位置までの回転によって生ずる前記退避動作レバーの回転によって前記可動レンズが前記退避位置まで移動し、前記操作連動回転板が前記第２の回転位置を越えると、前記退避動作ギヤと前記連動ギヤの噛み合いが解除されることを特徴としている。
【０００９】
この場合、前記視度補正機構は、前記視度補正用操作部材に連動して一定の角度範囲を回転する視度補正連動板を備え、前記退避動作レバーは、前記視度補正連動板に対して、前記可動レンズを前記退避位置に移動させるための回転方向には単独回転可能な状態で係合するようにすればよい。
【発明の効果】
【００１０】
本発明のカメラのファインダ装置では、アイピースシャッタを開閉するために操作されるシャッタ開閉用操作部材の操作に連動して操作連動回転板を回転させ、当該操作連動回転板が初期位置である第１の回転位置から第２の回転位置まで回転する間は、操作連動回転板を可動レンズ退避機構に連結して、可動レンズを退避位置まで移動させるようにしている。また、操作連動回転板が第２の回転位置を越えると、当該操作連動回転板を可動レンズ退避機構から切り離し、代わって、シャッタ開閉機構に連結し、当該操作連動回転板が第２の回転位置から第３の回転位置まで回転する間にアイピースシャッタを閉じ位置（遮蔽位置）に移動させるようにしている。
【００１１】
本発明によれば、シャッタ開閉用操作部材の操作に連動して回転する操作連動回転板の回転位置に応じて、その回転力の伝達路を切り換えて、可動レンズを退避位置に移動させた後にアイピースシャッタを閉じ位置に移動させる一連の動作を行わせるようにしている。したがって、これらの動作を実現するための機構を小型でコンパクトに構成でき、従来の同様な動作を実現するための機構に比べて設置スペースが少なくて済むという効果が得られる。
【発明を実施するための最良の形態】
【００１２】
以下に、図面を参照して、本発明を適用したカメラのファインダ装置の実施の形態を説明する。
【００１３】
図１は本実施の形態に係るファインダ装置が搭載されている一眼レフカメラの背面図、右側面図および左側面図である。これらの図に示すように、一眼レフカメラ１の背面には、ファインダ接眼窓２が開いており、ここを覗くことによりファインダの観察を行うことができる。ファインダ接眼窓２の一方の側、本例ではカメラ本体の右側面には視度補正つまみ３（視度補正用操作部材）が配置されており、これを回すことによりファインダの視度を調節できる。ファインダ接眼窓２の他方の側、本例ではカメラ本体の左側面にはシャッタ操作レバー４（シャッタ開閉用操作部材）が配置されている。シャッタ操作レバー４は水平な位置にあり、これを垂直位置まで旋回すると、ファインダ接眼窓２が遮蔽されて、ここから外光が内部のファインダ光路に侵入することが防止される。
【００１４】
図２は一眼レフカメラ１に内蔵されているファインダ装置の主要部を背面側から見た場合の斜視図である。図３は、当該ファインダ装置の主要部の正面図、平面図、右側面図および左側面図である。ファインダ装置１０の光学系は一眼レフカメラとしては一般的なものであり、その接眼レンズ群はペンタプリズム（図示せず）の側に位置する固定レンズ１１と、ファインダ接眼窓２の側に位置する可動レンズ１２とを備えている。視度補正つまみ３を回すと、後述の視度補正機構２０によって可動レンズ１２がファインダ光軸１０ａに沿って前後にスライドして、視度を調節できるようになっている。
【００１５】
また、タイマーを用いた撮影などのように、ファインダ接眼窓２が撮影者の顔などによって覆われてない場合には、外光がファインダ接眼窓２から内部に侵入して露出値に悪影響を及ぼすことがある。このような弊害を防止するために、可動レンズ１２の上方位置には、必要に応じてファインダ光路を遮蔽可能なアイピースシャッタ１３が配置されている。シャッタ操作レバー４を操作すると、アイピースシャッタ１３がファインダ光路から上方に退避している開き位置から、ファインダ光路に進入した閉じ位置に降下して、当該ファインダ光路を遮蔽することができるようになっている。
【００１６】
本例では、シャッタ操作レバー４を操作すると、それに連動して、操作連動回転板１４がその初期位置である第１の回転位置１４Ａから第２の回転位置１４Ｂを経由して第３の回転位置１４Ｃまで回転する。操作連動回転板１４が第１の回転位置１４Ａから第２の回転位置１４Ｂ(図３(ｄ)参照)まで回転する間に、後述のレンズ退避機構３０による可動レンズ１２の退避動作が行われる。これにより、可動レンズ１２は、視度補正つまみ３によって規定されている位置(補正位置)１２Ａから、固定レンズ１１に最も接近した退避位置１２Ｂ(図３参照)まで移動する。
【００１７】
次に、操作連動回転板１４が第２の回転位置１４Ｂから第３の回転位置１４Ｃ(図３(ｄ)参照)まで回転する間に、後述のシャッタ開閉機構４０によるアイピースシャッタ１３の閉じ動作が行われ、アイピースシャッタ１３は可動レンズ１２の上方に退避している開き位置１３Ａから下降して閉じ位置１３Ｂに至り、ファインダ光路が遮蔽状態になる。
【００１８】
シャッタ操作レバー４を戻すと、操作連動回転板１４が第３の回転位置１４Ｃから第１の回転位置１４Ａに戻り、それに伴って、アイピースシャッタ１３が上昇して開き位置１３Ａに戻り、ファインダ光路が開く。この後に、可動レンズ１２が退避位置１２Ｂから、視度補正つまみ３による補正位置１２Ａに復帰する。
【００１９】
さらに、本例の一眼レフカメラ１では、そのファインダ接眼窓２に、ＣＣＤユニットなどの撮像ユニット（図示せず）を着脱可能であり、当該撮像ユニットによって撮像されるファインダ画像を、モニター画面上において確認できるようになっている。このような撮像ユニットが装着された場合には、撮像ユニットの受像面上に結像するように、ファインダ装置１０の視度を補正する必要がある。本例のファインダ装置１０では、撮像ユニットが装着されると、装着に連動して、当該ユニットに適したピントとなるように可動レンズ１２を移動させるユニット視度設定機構５０も備わっている。
【００２０】
次に、図４(ａ)は視度補正機構２０が組み付けられているファインダ装置１０の右側部分を示す斜視図であり、図４(ｂ)はその内側面のギヤ噛み合い状態を示す説明図であり、図４(ｃ)はその外側面のギヤ噛み合い状態を示す説明図である。また、図５はその分解斜視図である。これらの図も参照して、視度補正機構２０、可動レンズ退避機構３０およびシャッタ開閉機構５０の構造を詳細に説明する。
【００２１】
（視度補正機構）
視度補正機構２０はカメラフレーム（図示せず）に固定された視度補正ベース板２１を備えており、この視度補正ベース板２１は接眼レンズ群の右側上方の位置において、ファインダ光軸１０ａに平行な状態で垂直に配置されている。この視度補正ベース板２１の外側面２１ａには、その中心に取り付けた支軸２２を中心として上下方向に回転可能な状態で視度補正連動板２３が取り付けられている。
【００２２】
視度補正連動板２３は全体として扇形をしており、その回転中心の両側位置には、一対の係合突起２３ａ、２３ｂが形成されている。これらの係合突起２３ａ、２３ｂは視度補正つまみ３の側に連結されており、視度補正つまみ３を回すと、これに連動して視度補正連動板２３が上下に回転するようになっている。視度補正連動板２３の外周側の部分には一定の角度を張る円弧溝２３ｃが形成されており、外周面には一定のピッチでクリック溝２３ｄが形成されている。クリック溝２３ｄには、視度補正ベース板２１に取り付けられている視度補正クリックばね２４の先端が嵌っている。
【００２３】
視度補正ベース板２１の内側面２１ｂには、支軸２２を中心として回転可能な状態で退避動作レバー３４が取り付けられている。退避動作レバー３４は、その中心から半径方向の外側に向けて延びる２本の腕３４ａ、３４ｂが形成されている。一方の腕３４ａの先端部にはその両側に同軸状態でスライドピン３５ａ、３５ｂが取り付けられている。他方の腕３４ｂの先端部には、視度補正ベース板２１の側に直角に突出する状態でスライドピン５１が取り付けられている。
【００２４】
視度補正ベース板２１におけるスライドピン３５ａに対峙する部位には円弧溝２１ｃが形成され、他方のスライドピン５１に対峙している部位にも円弧溝２１ｄが形成されている。スライドピン３５ａは対向する円弧溝２１ｃをスライド可能な状態で貫通して、その外側面２１ａの側に配置されている視度補正連動板２３の円弧溝２３ｃにスライド可能な状態で差し込まれている。退避動作レバー３４の腕３４ａにおける内側に水平に延びているスライドピン３５ｂは、可動レンズ枠１５の右側の端部から上方に突出している突出部１５ａに形成した垂直溝１５ｂにスライド可能な状態で差し込まれている。
【００２５】
可動レンズ枠１５は、その左右の両端部の下側部分が、光軸１０ａの方向に平行に延びている左右のガイド軸１６ａ、１６ｂによってスライド可能な状態で支持されている。この可動レンズ枠１５に可動レンズ１２が取り付けられている。可動レンズ枠１５は、常時、所定の付勢力によってファインダ接眼窓２の側に付勢されている。したがって、可動レンズ枠１５に連結されている退避動作レバー３４のスライドピン３５ａは、視度補正連動板２３の円弧溝２３ｃにおける一方の端２３ｅに当接状態に保持されている。
【００２６】
視度補正つまみ３を回すと、それに連動して、視度補正連動板２３が回転する。視度補正連動板２３の円弧溝２３ｃの端２３ｅに、退避動作レバー３４のスライドピン３５ａが当接状態に保持されているので、視度補正連動板２３が回転すると、退避動作レバー３４が一体回転する。退避動作レバー３４が回転すると、そのスライドピン３５ｂによって可動レンズ枠１５が押されて、ファインダ光軸１０ａの方向にスライドする。この結果、当該可動レンズ枠１５に取り付けられている可動レンズ１２が移動して、視度補正が行われる。視度補正連動板２３は視度補正クリックばね２４によって、視度補正後の位置に保持される。よって、可動レンズ１２は視度補正つまみ３によって規定される補正位置１２Ａに保持される。
【００２７】
（可動レンズ退避機構）
次に、可動レンズ退避機構３０は、可動レンズ枠１５の上方をファインダ光軸１０ａに直交する方向に水平に延びている回転軸３１を備えている。この回転軸３１の右端は、視度補正ベース板２１における支軸２２よりもカメラ後方側の部位に回転自在の状態で支持されている。回転軸３１の左端は、そこから直交方向に延びるリンク３１Ａおよび、このリンク３１Ａの先端にスライド可能に係合している係合ピン３１Ｂを介して、操作連動回転板１４に連結されている。したがって、回転軸３１は操作連動回転板１４が回転すると、それに連動して逆方向に回転する。
【００２８】
視度補正ベース板２１によって支持されている回転軸３１の右端部分には回転係合板３２が固定されており、この回転係合板３２と視度補正ベース板２１の間には、同軸状態で退避動作ギヤ３３が回転自在に取り付けられている。回転係合板３２は半径方向の外方に突出している係合腕３２ａを備えており、この係合腕３２ａの先端部は退避動作ギヤ３３の側に直角に折り曲げられている。退避動作ギヤ３３は全体として扇形をしており、その円弧状の外周面部分に外歯が形成されている。また、退避動作ギヤ３３は所定の付勢力によって、その一方の端面３３ａが回転係合板３２の係合腕３２ａの先端部に対して回転方向の側から押し付けられている。
【００２９】
退避動作ギヤ３３は、退避動作レバー３４の外周面部分に一体形成されている連動ギヤ３７に噛み合っている。連動ギヤ３７も一定の角度範囲のみに形成されている。本例では、図４(ｂ)に示す状態が、操作連動回転板１４が第１の回転位置１４Ａに位置している場合のものである。操作連動回転板１４が回転すると回転軸３１が回転し、回転軸３１に固定されている回転係合板３２によって退避動作ギヤ３３が押されて矢印方向に回転する。よって、これに噛み合っている連動ギヤ３４が形成されている退避動作レバー３４も回転する。操作連動回転板１４が第２の回転位置１４Ｂを越えると、退避動作ギヤ３３と連動ギヤ３７の噛み合い状態が解除されるようになっている。また、退避動作レバー３４は、操作連動回転板１４が第１の回転位置１４Ａから第２の回転位置１４Ｂに至るまでの回転によって、可動レンズ枠１５に取り付けられている可動レンズ１２をその退避位置１２Ｂまで移動させるようになっている。
【００３０】
ここで、シャッタ操作レバー４を元の位置に戻すと、操作連動回転板１４が元の第１の回転位置１４Ａに戻り、それに連動して回転する回転軸３１および回転係合板３２も元の回転位置まで戻る。退避動作ギヤ３３は、可動レンズ１２を退避させる回転方向においては回転係合板３２に機械的に係合している。逆の回転方向においては所定の付勢力によって回転係合板３２に押し付けられている。
【００３１】
視度調節機構２０によって可動レンズ１２が所定の補正位置１２Ａに位置している場合には、当該補正位置１２Ａに可動レンズ１２が止まる。よって、退避動作レバー３４もそれに対応する回転位置に止まり、そこに形成されている連動ギヤ３７に噛み合っている退避動作ギヤ３３も当該回転位置に止まる。したがって、この場合には、退避動作ギヤ３３から離れて、回転係合板３２、回転軸３１および操作連動回転板１４のみが元の回転位置まで戻ることになる。このように、シャッタ操作レバー４を操作した場合においても、常に、視度調節機構２０によって規定されている視度が得られる位置に、可動レンズ１２が復帰する。
【００３２】
（シャッタ開閉機構）
次に、シャッタ開閉機構４０はアイピースシャッタ１３を支持している支持アーム４１を備えている。この支持アーム４１は、可動レンズ１２とファインダ接眼窓２の間の上方位置において、ファインダ光軸１０ａに直交するカメラ幅方向に延びている。支持アーム４１は、その左側の端部分が光軸１０ａに平行に延びる支軸４２を中心として上下方向にスイング可能な状態で支持されている。通常は、その左端に連結されている引張ばね４３によって第１のアーム位置４１Ａに保持されている。この状態では、アイピースシャッタ１３が可動レンズ１２の上方に退避した開き位置１３Ａに位置している。
【００３３】
ここで、支持アーム４１の左端部からは光軸１０ａの方向に係合ピン４４が水平に突出している。操作連動回転板１４には、その下端から外側に直角に折れ曲がって延びる係合腕１４ａが形成されている。操作連動回転板１４の回転に伴う当該係合腕１４ａの回転軌跡上に支持アーム４１の係合ピン４４が位置している。本例では、操作連動回転板１４が第２の回転位置１４Ｂに至ると、その係合腕１４ａが係合ピン４４に下側から当り、第３の回転位置１４Ｃに至るまでは係合腕１４ａによって上方に押し上げられるようになっている。この結果、支持アーム４１におけるアイピースシャッタ１３を支持している内側の部分は下降する。操作連動回転板１４が第３の回転位置１４Ｃに至ると、支持アーム４１が第２のアーム位置４１Ｂに至り、そこに支持されているアイピースシャッタ１３はその閉じ位置１３Ｂに至り、ファインダ光路を遮蔽した状態が形成される。
【００３４】
シャッタ操作レバー４が元の位置に戻されると、それに連動して操作連動回転板１４が第３の回転位置から第１の回転位置に戻る。この復帰時には、引張ばね４３のばね力によって、支持アーム４１も第１のスイング位置４１Ａに戻る。よって、アイピースシャッタ１３も開き位置１３Ａに戻り、ファインダ光路が再び開く。
【００３５】
（ユニット視度設定機構）
一方、ユニット視度設定機構５０は、視度補正ベース板２１の外側面２１ａに取り付けられているユニットセットレバー５２を備えている。ユニットセットレバー５２は、視度補正ベース板２１に固定したレバー支軸５３に回転自在の状態で取り付けられており、レバーセットばね５４によって図に示す初期位置５２Ａに保持されている。ユニットセットレバー５２には係合腕５２ａが形成されている。この係合腕で５２ａは、ファインダ接眼窓２の側方の部位においてカメラ外装面から突出しており、撮像ユニットが装着されると、撮像ユニットによって下方に押し下げられ、ユニットセットレバー５２が動作位置５２Ｂ(図４(ｃ)参照)まで回転する。撮像ユニットが取り外されると、セットレバーばね５４のばね力によって、ユニットセットレバー５２は初期位置５２Ａに戻る。
【００３６】
また、ユニットセットレバー５２の外周面部分には所定の角度を張る外歯５２ｂが形成されている。この外歯５２ｂはユニット連動ギヤ５５に噛み合っている。ユニット連動ギヤ５５は、視度補正ベース板２１と視度補正連動板２３の間の位置において、支軸２２を中心として回転自在の状態で取り付けられている。このユニット連動ギヤ５５も一定の角度範囲にのみ外歯が形成されたものであり、外歯形成部分を外れた外周面部分からは半径方向の外方に向けて係合腕５５ａが突出している。
【００３７】
係合腕５５ａは、ユニット連動ギヤ５５の回転に伴って、視度補正ベース板２１に形成されている円弧溝２１ｄに沿って移動する。円弧溝２１ｄには、反対側に配置されている退避動作レバー３４に取り付けたスライドピン５１が貫通している。このスライドピン５１の先端は視度補正ベース板２１の外側面２１ａから、係合腕５５ａの厚さ分だけ突出している。
【００３８】
ユニット連動ギヤ５５の係合腕５５ａは、ユニットセットレバー５２が初期位置５２Ａにある状態では、円弧溝２１ｄにおける上側の端から外側に外れた位置にある。ユニットセットレバー５２が回転すると、それに伴って円弧溝２１ｄに沿って他方の端まで移動する。よって、この回転時に、係合腕５５ａが円弧溝２１ｄを貫通しているスライドピン５１に当り、当該スライドピン５１を円弧溝２１ｄに沿ってその端まで押すことになる。この結果、スライドピン５１が取り付けられている退避動作レバー３４が可動レンズ１２を退避させる方向に所定量だけ回転し、可動レンズ１２を撮像ユニットの視度に適したセット位置まで移動させる。このように、撮像ユニットの装着動作に連動して、ユニットセットレバー５２が回転して、退避動作レバー３４が可動レンズ１２の退避位置の方向に移動して、撮像ユニットに適した視度が得られるセット位置に移動する。
【００３９】
次に、撮像ユニットを取り外すと、ユニットセットレバー５２はセットレバーばね５４のばね力によって初期位置に復帰する。この結果、退避動作レバー３４はユニット視度設定機構５０による拘束から解除されるので、視度補正機構２０によって規定されている回転位置、すなわち、退避動作レバー３４のスライドピン３５ａが視度補正連動板２３の円弧溝２３ｃにおける端２３ｅに当る位置まで自動的に復帰する。
【００４０】
このように、本例のファインダ装置１０のユニット視度設定機構５０は、撮像ユニットの着脱に連動して可動レンズ１２を移動して、撮像ユニットに適合するように視度を補正し、また、視度補正つまみ３によって規定されている視度に戻すようにしている。よって、撮像ユニットの着脱に起因して、視度補正つまみ３を操作して視度を補正する必要が無くなる。よって、操作性に優れたファインダ装置１０を実現できる。
【００４１】
（動作説明）
なお、本例のファインダ装置１０における視度補正機構２０、可動レンズ退避機構３０およびシャッタ開閉機構４０の動作を以下に纏めて説明する。
【００４２】
まず、視度補正つまみ３を回すと視度補正連動板２３が回転する。視度補正連動板２３の円弧溝２３ｃの端２３ｄに、退避動作レバー５１の摺動ピン５２ａが当接状態に保持されているので、視度補正連動板２３が回転すると、退避動作レバー５１が一体となって回転する。退避動作レバー５１が回転すると、その摺動ピン５２ｂによって可動レンズ枠１５が押されて、ファインダ光軸１０ａの方向にスライドする。この結果、当該可動レンズ枠１５に取り付けられている可動レンズ１２が移動して、視度補正が行われる。視度補正連動板２３は視度補正クリックばね２４によって、視度補正後の位置に保持される。よって、可動レンズ１２は視度補正つまみ３によって補正された補正位置１２Ａに保持される。
【００４３】
一方、シャッタ操作レバー４を操作すると、それに連動して、操作連動回転板１４が第１の回転位置１４Ａから第３の回転位置１４Ｃまで回転する。操作連動回転板１４が第１の回転位置１４Ａから第２の回転位置１４Ｂに至るまでは、連動して回転する回転軸３１と一体回転する回転係合板３２によって退避動作ギヤ３３が押されて回転する。退避動作ギヤ３３は退避動作レバー３４の側の連動ギヤ３７に噛み合っているので、退避動作レバー３４も回転する。すなわち、退避動作レバー３４の摺動ピン３５ａは、視度補正連動板２３の円弧溝２３ｃにおける退避方向とは反対側の端２３ｅに付勢されており、退避方向には付勢力に抗して回転可能である。換言すると、上記の視度補正つまみ３によって規定されている補正位置１２Ａから退避位置１２Ｂに向けて可動レンズ１２を移動させる方向に、退避動作レバー３４を回転させることは可能となっている。よって、可動レンズ退避機構３０による退避動作レバー３４の回転によって、可動レンズ１２がその退避位置１２Ｂまで移動する。この結果、可動レンズ１２とファインダ接眼窓の間のファインダ光路上には、アイピースシャッタ１３を進入させることのできる充分な隙間が形成される。
【００４４】
操作連動回転板１４が第２の回転位置を越えると、退避動作ギヤ３３と退避動作レバー３４の連動ギヤ３７の噛み合いが解除され、退避動作レバー３４の回転が止まり、これ以後は、回転軸３１、回転係合板３２および退避連動ギヤ３３は空回りする。
【００４５】
一方、操作連動回転板１４が第２の回転位置１４Ｂを越えると、その係合腕１４ａが下側からシャッタ開閉機構３０の支持アーム３１に当り、当該支持アーム３１を支軸３２を中心として、ばね力に逆らってスイングさせる。この結果、支持アーム３１が第１のスイング位置３１Ａから第２のスイング位置３１Ｂに移動し、そこに支持されているアイピースシャッタ１３が開き位置１３Ａから下降して閉じ位置１３Ｂに至り、ファインダ光路の遮断状態が形成される。
【００４６】
シャッタ操作レバー４を元の位置に戻すと、上記とは逆の動作が行われ、アイピースシャッタ１３が開き位置１３Ａに戻る。しかる後に、可動レンズ１２が退避位置１２Ｂから、視度補正機構２０によって規定されている補正位置１２Ａに戻る。
【００４７】
このように、本例のファインダ装置１０では、シャッタ操作レバー４に連動して回転する操作連動回転板１４の回転に伴って、まず、可動レンズ１２を退避位置に移動させて、ファインダ光路上に十分なスペースを確保し、次に、アイピースシャッタ１３を当該スペースに進入させてファインダ光路の遮蔽状態を形成している。すなわち、退避動作ギヤ３３と連動ギヤ３７の噛み合いによって可動レンズ１２を退避位置まで移動させ、しかる後にギヤの噛み合いを解除し、代わりに、第２の回転位置から第３の回転位置に向かって回転する操作連動回転板１４をアイピースシャッタ１３を支持している支持アーム４１に係合させ、アイピースシャッタ１３を閉じ位置まで移動させるようにしている。
【００４８】
したがって、可動レンズ１２を退避位置に移動させた後にアイピースシャッタによるファインダ光路を遮蔽するという一連の動作を、小型でコンパクトな機構によって実現することができる。よって、小型カメラなどのように、設置スペースの少ないカメラに搭載するのに適している。
【図面の簡単な説明】
【００４９】
【図１】(ａ)は本発明を適用したファインダ装置が搭載されている一眼レフカメラの背面図であり、(ｂ)はその右側面図であり、(ｃ)はその左側面図である。
【図２】一眼レフカメラに内蔵されているファインダ装置の主要部を背面側から見た場合の斜視図である。
【図３】図２のファインダ装置の主要部の正面図、平面図、右側面図および左側面図である。
【図４】(ａ)はファインダ装置における視度補正機構が組み付けられている右側部分を示す斜視図であり、(ｂ)はその内側面のギヤ噛み合い状態を示す説明図であり、(ｃ)はその外側面のギヤ噛み合い状態を示す説明図である。
【図５】ファインダ装置の視度補正機構が組みつけられている右側部分の分解斜視図である。
【符号の説明】
【００５０】
１    一眼レフカメラ
２    ファインダ接眼窓
３    視度補正つまみ
４    シャッタ操作レバー
１０  ファインダ装置
１１  固定レンズ
１２  可動レンズ
１３  アイピースシャッタ
１３Ａ  開き位置
１３Ｂ  閉じ位置
１４  操作連動回転板
１４ａ  係合腕
１４Ａ  第１の回転位置
１４Ｂ  第２の回転位置
１４Ｃ  第３の回転位置
１５  可動レンズ枠
２０  視度補正機構
２１  視度補正ベース板
２２  支軸
２３  視度補正連動板
２３ｃ  円弧溝
２３ｅ  円弧溝の端
２４  視度補正クリックばね
３０  可動レンズ退避機構
３１  回転軸
３２  回転係合板
３３  退避動作ギヤ
３４  退避動作レバー
３５ａ、３５ｂ  スライドピン
３７  連動ギヤ
４０  シャッタ開閉機構
４１  支持アーム
４２  支軸
４３  引張ばね
４４  係合ピン
５０  ユニット視度設定機構
５１  スライドピン
５２  ユニットセットレバー
５４  セットレバーばね
５５  ユニット連動ギヤ
５５ａ  係合腕
【図１】
2006215373.tif 000003
【図２】
2006215373.tif 000004
【図３】
2006215373.tif 000005
【図４】
2006215373.tif 000006
【図５】
2006215373.tif 000007